(57)【要約】【課題】フランジ付近が肉厚とならず、かつ、接合箇所から飲料の侵入がない二重容器を提供する。【解決手段】二重容器は、外容器１と内容器２とからなる。内容器２は外容器１に内挿され、断熱空間３が形成される。二重容器は、嵌合構造３０と係合構造４０とを備える。嵌合構造３０は、外容器嵌合部（例えば突起３２の形成する開口）に内容器嵌合部（例えばテーパ３４が形成する壁面）を嵌めることにより形成される。係合構造４０は、外容器のフランジ部１３の上面側に内容器のフランジ部２３の下面側を係合することにより形成される。嵌合構造３０の嵌合機能に伴って、係合構造４０においてフランジ２３は板バネとして機能する。【選択図】図１
2019119516.tif 000002
【特許請求の範囲】
【請求項１】
外容器と、前記外容器に内挿される内容器とからなり、断熱空間が形成される二重容器であって、
前記外容器の胴部に設けられた外容器嵌合部に前記内容器の胴部に設けられた内容器嵌合部を嵌める嵌合構造と、
前記外容器のフランジ部の上面側に前記内容器のフランジ部の下面側を係合する係合構造と、
を備えることを特徴とする二重容器。
【請求項２】
前記嵌合構造では、前記外容器嵌合部が前記内容器嵌合部を押し下げるよう形成され、
前記係合構造では、前記内容器フランジ部が前記外容器フランジ部を押圧するように形成されている
ことを特徴とする請求項１記載の二重容器。
【請求項３】
前記係合構造では、
前記外容器フランジ部上面にて径方向に形成される線と鉛直下向き線のなす角αが、
前記内容器フランジ部下面にて径方向に形成される線と鉛直下向き線のなす角βより、
大きくなるように形成されている
ことを特徴とする請求項１または２記載の二重容器。
【請求項４】
前記嵌合構造では、前記外容器嵌合部は上から下に向かって拡径するテーパを有し、前記内容器嵌合部は上から下に向かって拡径するテーパを有し、
前記外容器嵌合部のテーパは、前記内容器嵌合部のテーパと比較して、傾いているように形成されている
ことを特徴とする請求項１〜３いずれか記載の二重容器。
【請求項５】
前記嵌合構造は周方向に間欠的に形成されている
ことを特徴とする請求項４記載の二重容器。
【請求項６】
前記外容器のフランジ部の幅は、前記内容器のフランジ部の幅より広く形成され、
前記外容器のフランジ部の上面には、シール用突起が形成されている
ことを特徴とする請求項１〜５いずれか記載の二重容器。
【請求項７】
前記内容器のフランジ部の上面には、シール用突起が形成されている
ことを特徴とする請求項１〜５いずれか記載の二重容器。
【請求項８】
請求項７記載の内容器に内容物を充填し、
前記シール用突起にシール蓋を溶着し、
内容器内の内容物を加熱滅菌し、
前記内容器と前記外容器を重ねて二重容器を形成する
ことを特徴とする内容物包装方法。
【請求項９】
外容器と、前記外容器に内挿される内容器とからなり、断熱空間が形成され、
前記外容器の胴部に設けられた外容器嵌合部に前記内容器の胴部に設けられた内容器嵌合部を嵌める嵌合構造と、
前記外容器のフランジ部の上面側に前記内容器のフランジ部の下面側を係合する係合構造と、
を備える二重容器の接合方法であって、
前記嵌合構造では、前記外容器嵌合部が前記内容器嵌合部を押し下げ、
前記係合構造では、前記嵌合構造の押し下げ動作に連動して、前記内容器フランジ部の下面と外容器フランジ部の上面との間に形成されている微小空間を無くすように、前記内容器フランジは変形し、前記内容器フランジ部が前記外容器フランジ部を押圧する
ことを特徴とする二重容器の接合方法。
【発明の詳細な説明】
【技術分野】
【０００１】
本発明は、外容器と内容器とからなり、断熱空間が形成される二重容器に関する。
【背景技術】
【０００２】
容器には熱い飲料や冷たい飲料が入れられることがある。
【０００３】
熱い飲料は高温が維持されることが好ましい。冷たい飲料は低温が維持されることが好ましい。また、熱い飲料が入った容器を持った時、熱くて不快感を覚えるおそれもある。また、冷たい飲料が入った容器を持った時、冷たくて不快感を覚えるおそれもある。
【０００４】
内容物の保温および持ち手への熱伝達抑制の観点から、断熱空間が形成された二重容器が用いられている。
【０００５】
樹脂製の外容器に樹脂製の内容器を積み重ねた二重容器が一般的である（例えば特許文献１）。
【先行技術文献】
【特許文献】
【０００６】
【特許文献１】特許４６１２３１３号公報
【発明の概要】
【発明が解決しようとする課題】
【０００７】
外容器に内容器を積み重ねる場合、内容器が外容器内でぐらつかない様に接合構造が重要となる。特許文献１では、外容器の断面カール状のフランジに内容器の断面半円状のフランジを嵌め合わせる例と、外容器の直立した胴部上端に内容器のフランジを掛止させる例とが開示されている。
【０００８】
２つの例とも、接合箇所から飲料の侵入がないように、内容器のフランジが外側になり、接合箇所を覆うように構成されている。
【０００９】
その結果、二重容器のフランジ付近が肉厚となる。容器のデザイン性に制約がある（言い換えると、外観が野暮ったく見える）とともに、飲料を飲むときの唇の触感が悪く、飲みにくく感じるおそれがある。
【００１０】
本発明は、上記課題を解決するものであり、フランジ付近が肉厚とならず、かつ、接合箇所から飲料の侵入がない二重容器を提供することを目的とする。
【課題を解決するための手段】
【００１１】
上記の目的を達成するために、本発明の二重容器は、外容器と、前記外容器に内挿される内容器と、からなる。外容器と内容器の間に断熱空間が形成される。前記外容器の胴部に設けられた外容器嵌合部に前記内容器の胴部に設けられた内容器嵌合部を嵌める嵌合構造と、前記外容器のフランジ部の上面側に前記内容器のフランジ部の下面側を係合する係合構造と、を備える。
【００１２】
上記発明において好ましくは、前記嵌合構造では、前記外容器嵌合部が前記内容器嵌合部を押し下げるよう形成され、前記係合構造では、前記内容器フランジ部が前記外容器フランジ部を押圧するように形成されている。
【００１３】
嵌合構造に連動して係合構造が機能する。内容器フランジ部が外容器フランジ部を押圧することで、内容器フランジ部と外容器フランジ部とが一体化する。その結果、二重容器のフランジ付近が肉厚とならない。また、内容器フランジ部と外容器フランジ部との間から飲料の侵入がない。
【００１４】
上記発明において好ましくは、前記係合構造では、前記内容器フランジ部が、前記外容器フランジ部と比較して、外縁が内縁より下がる傾斜をするように形成されている。
【００１５】
これにより、内容器フランジ部と外容器フランジ部との間に微小空間が形成され、内容器フランジ部が変形し板バネとして機能する。その結果、内容器フランジ部が外容器フランジ部を押圧する。
【００１６】
上記発明において好ましくは、前記嵌合構造では、前記外容器嵌合部は上から下に向かって拡径するテーパを有し、前記内容器嵌合部は上から下に向かって拡径するテーパを有し、前記外容器嵌合部のテーパは、前記内容器嵌合部のテーパと比較して、傾いているように形成されている。
【００１７】
これにより、外容器嵌合部が内容器嵌合部を押し下げる。
【００１８】
上記発明において好ましくは、前記嵌合構造は周方向に間欠的に形成されている。
【００１９】
これにより、製造容易となる。
【００２０】
上記発明において好ましくは、前記外容器のフランジ部の幅は、前記内容器のフランジ部の幅より広く形成され、前記外容器のフランジ部の上面には、シール用突起が形成されている。
【００２１】
これにより、外容器にシールすることで、内容器内の内容物を密封できる。
【００２２】
上記発明において好ましくは、前記内容器のフランジ部の上面には、シール用突起が形成されている。
【００２３】
これにより、内容器内の内容物を密封できる。その後、内容器を外容器に内挿して二重容器を形成する。
【００２４】
上記の目的を達成するための本発明は、上記二重容器への内容物包装方法である。内容器に内容物を充填し、前記シール用突起にシール蓋を溶着し、内容器内の内容物を加熱滅菌し、前記内容器と前記外容器を重ねて二重容器を形成する。
【００２５】
これにより、加熱滅菌できるとともに、二重容器の一体性及びデザイン性を維持できる。
【００２６】
上記の目的を達成するための本発明は、二重容器の接合方法である。二重容器は、外容器と、前記外容器に内挿される内容器とからなり、断熱空間が形成され、前記外容器の胴部に設けられた外容器嵌合部に前記内容器の胴部に設けられた内容器嵌合部を嵌める嵌合構造と、前記外容器のフランジ部の上面側に前記内容器のフランジ部の下面側を係合する係合構造と、を備える。前記嵌合構造では、前記外容器嵌合部が前記内容器嵌合部を押し下げる。前記係合構造では、前記嵌合構造の押し下げ動作に連動して、前記内容器フランジ部の下面と外容器フランジ部の上面との間に形成されている微小空間を無くすように、前記内容器フランジは変形し、前記内容器フランジ部が前記外容器フランジ部を押圧する。
【発明の効果】
【００２７】
本発明の二重容器よれば、フランジ付近が肉厚とならない。その結果、容器のデザイン性に制約がなく（言い換えると、スタイリッシュな外観を維持できる）とともに、飲料を飲むときの唇の触感が良く、飲みやすく感じる。
【００２８】
また、本発明の二重容器よれば、接合箇所から飲料の侵入がない。
【図面の簡単な説明】
【００２９】
【図１】概略構成図（実施形態）
【図２】概略斜視図（実施形態）
【図３】動作説明図（実施形態）
【図４】嵌合構造変形例
【図５】嵌合構造変形例
【図６】嵌合構造変形例
【図７】係合構造変形例
【図８】係合構造変形例
【図９】外容器シール構造
【図１０】内容器シール構造
【図１１】内容物包装動作説明図
【図１２】半透明容器嵌合前
【図１３】半透明容器嵌合後
【発明を実施するための形態】
【００３０】
〜基本構成〜
図１〜２に基づいて本発明に係る実施形態について説明する。図１は断面図である。図２は斜視図である。図３は動作説明図であるが、要部の各構成に付番している。
【００３１】
外容器１は、底部１１と、胴部１２と、フランジ部１３とを備える。内容器２は、底部２１と、胴部２２と、フランジ部２３とを備える。
【００３２】
胴部１２，２２は概略形状として略逆円錐台形状に形成される。すなわち、フランジ部１３，２３から底部１１，２１に向かって縮径するように形成される。
【００３３】
フランジ部１３，２３は、胴部１２，２２頂部から外周略水平方向に突出されている。
【００３４】
内容器２は外容器１に内挿され、外容器１と内容器２との間には断熱空間３が形成される。
【００３５】
〜特徴的構成〜
図３は要部の各構成を示すとともに、動作を説明する図である。
【００３６】
二重容器は嵌合構造３０と係合構造４０とを備える。嵌合構造３０の嵌合機能に伴って、係合構造４０が機能する。
【００３７】
以下、下部嵌合構造３０および上部嵌合構造４０の詳細構成および動作について説明する。
【００３８】
嵌合構造３０について説明する。嵌合構造３０は、外容器胴部１２に設けられた外容器嵌合部（具体的には後述する突起３２が形成する開口）に内容器胴部２２に設けられた内容器嵌合部（具体的には後述するテーパ３４が形成する壁面）を嵌めることにより形成される。本実施形態では、上部嵌合構造を例に説明する。
【００３９】
外容器胴部１２の上部には、胴部１２のテーパと逆向きに、上から下に向かって拡径するテーパ３１が設けられている。テーパ３１上端はフランジ部１３内縁と連続し、容器内側に突出するような突起３２を形成する。テーパ３１下端は胴部本体と連続し、容器外側に突出するような突起３３を形成する。
【００４０】
内容器胴部２２の上部には、胴部２２のテーパと逆向きに、上から下に向かって拡径するテーパ３４が設けられている。テーパ３４上端はフランジ部２３内縁と連続し、容器内側に突出するような突起３５を形成する。テーパ３４下端は胴部本体と連続し、容器外側に突出するような突起３６を形成する。
【００４１】
外容器のテーパ３１は内容器のテーパ３４と比較して傾いているように形成されている。
【００４２】
外容器１中心軸から突起３２（テーパ上端）までの距離（Ｒ１）は、内容器２中心軸から突起３６（テーパ下端）までの距離（Ｒ２）より、短い。
【００４３】
外容器１中心軸から突起３２までの距離（Ｒ１）は、内容器２中心軸から突起３５（テーパ上端）までの距離（Ｒ３）とほぼ同程度か若干長い。
【００４４】
したがって、内容器２が外容器１に挿入される際、内容器２の突起３６は外容器１の突起３２に当たり、挿入が阻害されるが、更に強く押し込むと、突起３２はテーパ３４に沿って移動し、テーパ３４途中かつテーパ上端３５付近にて係止される。
【００４５】
このとき、外容器の突起３３と内容器の突起３６との間に充分な空間が形成される。突起３３と突起３６とが干渉し合うことはない。
【００４６】
外容器１の突起３２が形成する開口に、内容器２のテーパ３４が形成する筒（壁面）を嵌めることにより、嵌合構造３０が機能する。
【００４７】
嵌合構造３０において、突起３２はテーパ３４を水平方向に押そうとする。その結果、外容器１に対し、内容器２が押し下げられる。
【００４８】
係合構造４０について説明する。係合構造４０は、外容器のフランジ部１３の上面側に内容器のフランジ部２３の下面側を係合することにより形成される。
【００４９】
係合構造４０では、内容器フランジ部２３が、外容器フランジ部１３と比較して、外縁が内縁より下がる傾斜をするように形成されている。言い換えると、外容器フランジ部１３上面にて径方向に形成される線と鉛直下向き線のなす角αが、内容器フランジ部２３下面にて径方向に形成される線と鉛直下向き線のなす角βより、大きくなる（図７参照）。
【００５０】
図３の例では、外容器フランジ部１３の中心線が略水平であるのに対し、内容器フランジ部２３の中心線は、内縁から外縁に向かい（図示右から左）下がるよう傾斜している。その結果、内容器フランジ部２３の外縁端４１が外容器フランジ部１３上面の相当位置４２に接するとともに、内容器フランジ部２３の下面と外容器フランジ部１３の上面との間に微小空間４３が形成される。
【００５１】
〜連動性〜
嵌合構造３０と係合構造４０との連動性について説明する。図３は動作説明図である。
【００５２】
嵌合構造３０において、突起３２はテーパ３４を水平方向に押そうとする。その結果、外容器１に対し、内容器２が押し下げられる（上述）。
【００５３】
内容器２全体が押し下げられるということは、当然、内容器２のフランジ部外縁端４１も押し下げられる。その結果、内容器フランジ部外縁端４１は外容器フランジ部上面相当位置４２を押圧する。
【００５４】
一方で、内容器フランジ部外縁端４１は外容器フランジ部上面相当位置４２に変位を拘束される。その結果、内容器フランジ部２３は微小空間４３内にて変形可能となり、内容器フランジ部２３の下面が外容器フランジ部１３の上面に接するように近づく。
【００５５】
すなわち、係合構造４０において、内容器フランジ部２３は板バネとして機能する。板バネ機能により、内容器フランジ部外縁端４１は、更に、外容器フランジ部上面相当位置４２を押圧する。
【００５６】
〜効果〜  
上記のように、嵌合構造３０に連動して係合構造４０が機能する。その結果、以下の効果を奏する。
【００５７】
嵌合構造３０による接合と係合構造４０による接合により、断熱空間３を形成しつつ確実に外容器１と内容器２とが接合される。
【００５８】
係合構造４０において、内容器フランジ部外縁端４１が外容器フランジ部上面相当位置４２を押圧する。これにより、外容器フランジ部１３と内容器フランジ部２３との間に隙間がなく、内容器２のフランジ２３が外側に張り出して接合個所を覆わなくとも、接合箇所から飲料の侵入がない。
【００５９】
係合構造４０において、内容器フランジ部２３は外容器フランジ部１３上面にて密接し一体となる。これにより、フランジ付近が肉厚とならない。その結果、容器のデザイン性に制約がないとともに、飲料を飲むときの唇の触感が良く、飲みやすく感じる。
【００６０】
ところで、断熱効果が必要とされない場合は、外容器１および内容器２それぞれ、独自の容器として用いることができる。特に外容器１においてはデザインが考慮されており、意匠性を維持できる。
【００６１】
〜変形例  嵌合構造の間欠の有無〜
上記実施形態において、外容器胴部１２には、テーパ３１、突起３２、突起３３が設けられている。内容器胴部２２には、テーパ３４、突起３５、突起３６が設けられている。嵌合構造３０は、突起３２にテーパ３４を嵌めることにより形成される（図３参照）。
【００６２】
嵌合構造３０は周方向に連続して形成されていてもよいし、周方向に間欠的に形成されていてもよい。
【００６３】
図４は、嵌合構造３０は周方向に間欠的に形成されている例である。図４に示すA-A断面およびB-B断面は、それぞれ、図２に示すA-A切断線およびB-B切断線に相当する。A-A断面およびB-B断面が周方向に繰り返し形成される。
【００６４】
A-A断面では、テーパ３１はテーパ３４と比較して傾いており、突起３２がテーパ３４に当接し、嵌合構造３０が形成される。その結果、突起３３が容器外側に突出するのに対し、突起３２が容器内側に著しく突出している（図３参照）。
【００６５】
B-B断面では、テーパ３１とテーパ３４はほぼ同じ勾配であり（少しテーパ３４のほうが傾いている）、突起３２がテーパ３４から離隔しており、嵌合構造３０が形成されていない。また、突起３２が容器内側に著しく突出することもない。
【００６６】
一方、内容器のテーパ３４、突起３５、突起３６については、A-A断面とB-B断面とで相違はない。
【００６７】
ところで、容器内側に著しく突出している突起３２が周方向に連続して形成されていている（すべてA-A断面）場合、外容器成形時に、突起３２が障害となり、金型から抜きにくくなるおそれがある。
【００６８】
容器内側に著しく突出している突起３２が周方向に間欠的に形成されることにより、外容器成形時に、突起３２が障害となりにくく、金型から抜きやすくなる。
【００６９】
〜変形例  嵌合構造〜
上記実施形態において、嵌合構造３０は外容器胴部１２上部および内容器胴部２２上部に形成されているが、これに限定されない。図５は、嵌合構造３０の位置にかかる変形例である。
【００７０】
外容器胴部１２には、外容器胴部１２と逆方向のテーパ３１が形成され、内容器胴部２２には、内外容器胴部２２と逆方向のテーパ３４が形成され、テーパ３１はテーパ３４と比較して傾いている（付番は図３と共通）。
【００７１】
図５（A）および図５（B）は中部嵌合構造を示す図である。胴部１２，２２の中部に嵌合構造３０が形成される。図５（A）では、突起３３が容器外側に突出してテーパ３１が形成される。図５（B）では、突起３２が容器内側に突出してテーパ３１が形成される。
【００７２】
図５（C）は下部嵌合構造を示す図である。胴部１２，２２の下部（底部１１，２１に近い位置）に嵌合構造３０が形成される。
【００７３】
上記実施形態および図５にかかる変形例においては、外容器胴部１２にテーパ３１が形成され、内容器胴部２２にテーパ３４が形成され、嵌合構造３０が形成されているが、これに限定されない。図６は、テーパ３１，３４が形成されていない嵌合構造３０にかかる変形例である。
【００７４】
外容器胴部１２には周方向に間欠的に容器内側に突出する半球突起３７が形成され、内容器胴部２２には、周方向に連続し容器外側に突出する半円突起３８が形成されている。
【００７５】
半円突起３８が半球突起３７を乗り越えて係止されることにより、嵌合構造３０が機能する。
【００７６】
いずれの変形例においても、嵌合構造３０により、外容器１に対し内容器２が押し下げられ、これに連動して係合構造４０が機能する。
【００７７】
〜変形例  係合構造〜
図７は、係合構造４０にかかる変形例である。
【００７８】
図７（A）は、押圧位置にかかる変形例である。上記実施形態において、内容器フランジ部外縁端４１が外容器フランジ部上面相当位置４２を押圧する。すなわち、押圧位置は外容器フランジ部１３の上面任意の位置である。
【００７９】
図７（A）に係る変形例のように、内容器フランジ部外縁端４１が外容器フランジ部外縁端４４と同じ位置にあってもよい。
【００８０】
上記実施形態および図７（A）に係る変形例において、外容器フランジ部１３の上面が略水平であるのに対し、内容器フランジ部２３の下面は、内縁から外縁に向かい下がるよう傾斜しているが、これに限定されない。図７（B）および図７（C）は、フランジ傾斜にかかる変形例である。
【００８１】
図７（B）では、外容器フランジ部１３の上面が内縁から外縁に向かい上がるよう傾斜しているのに対し、内容器フランジ部２３の下面は略水平である。
【００８２】
図７（C）では、外容器フランジ部１３の上面が内縁から外縁に向かい下がるよう傾斜しており、内容器フランジ部２３の上面は内縁から外縁に向かい更に下がるよう傾斜している。
【００８３】
いずれの変形例においても、上記実施形態同様に、外容器フランジ部１３上面にて径方向に形成される線と鉛直下向き線のなす角αが、内容器フランジ部２３下面にて径方向に形成される線と鉛直下向き線のなす角βより、大きくなるように形成される。その結果、係合構造４０において、微小空間４３が形成され、内容器フランジ部２３は板バネとして機能する。
【００８４】
図８は、外容器フランジ部１３の形状にかかる変形例である。
【００８５】
図８（A）では、外容器フランジ部１３外縁が一段高くなり、当該箇所では、外容器フランジ部１３上面と内容器フランジ部２３上面とが同一平面となる。
【００８６】
図８（B）では、外容器フランジ部１３に略半円状の突起１４が設けられ、内容器フランジ部２３端面は突起１４側面に対抗し、突起１４上面と内容器フランジ部２３上面とが同一平面となる。
【００８７】
図８（C）では、外容器フランジ部１３に略台形状の突起１４が設けられ、内容器フランジ部２３端面は突起１４側面に対抗し、突起１４上面と内容器フランジ部２３上面とが同一平面となる。
【００８８】
図８にかかる変形例においては、内容器フランジ部２３端面が露出せず、飲料を飲むときの唇の触感が更に向上する。
【００８９】
〜変形例  シール構造〜
上記実施形態は更にシール構造５０を備えていてもよい。
【００９０】
図９は、外容器１にシールをする場合の構成図および動作説明図である。
【００９１】
外容器フランジ部１３の幅は、内容器フランジ部２３の幅より広く形成されている。外容器フランジ部１３上面には、シール用突起１５が形成されている。シール用突起１５上面は、内容器フランジ部２３上面より若干高くなる。
【００９２】
シール用突起１５上面にシール蓋５が溶着される。上記実施形態では、嵌合構造３０と係合構造４０により確実に外容器１と内容器２とが接合されており、外容器１にシールすることで、内容器２内の内容物を密封できる。
【００９３】
図１０は、内容器２にシールをする場合の構成図および動作説明図である。
【００９４】
内容器フランジ部２３上面には、シール用突起２５が形成されている。
【００９５】
シール用突起２５上面にシール蓋５が溶着される。これにより内容器２内の内容物を密封できる。なお、上記実施形態では、嵌合構造３０と係合構造４０により確実に外容器１と内容器２とが接合されて一体となっている。
【００９６】
〜内容物包装方法〜
図１１は、内容器２にシールをする場合の内容物包装に係る動作説明図である。図１０に示す内容器２を用いる。
【００９７】
内容器２を準備する。内容器２に内容物を充填する（図１１A）。内容物は例えばお粥である。
【００９８】
内容器２に内容物が充填された状態で、シール用突起２５上面にシール蓋５を溶着する（図１１B）。これにより内容器２内の内容物は密封される。
【００９９】
内容物密封状態にて、内容器２内の内容物を加熱滅菌する（図１１C）。内容物密封状態であるので、一度加熱滅菌すれば、雑菌が繁殖するおそれはない。
【０１００】
外容器１を準備する（図１１D）。内容器２と外容器１を重ねて一体化し、二重容器を形成する（図１１E）。
【０１０１】
ところで、二重容器形成後に加熱滅菌すると、樹脂が熱変形する。また、断熱空間３の熱膨張のおそれもある。その結果、嵌合構造３０や係合構造４０が機能しなくなり、外容器１と内容器２との一体化が損なわれるおそれがある。
【０１０２】
一体性を維持できたとしても、熱変形の影響は外容器１にもおよび、外容器１のデザイン性が損なわれる。
【０１０３】
これに対し、上記動作のように、内容器２のみ加熱し、その後、内容器２と外容器１を重ねれば、内容器２内に内容物が充填された状態でシールされており、内容器２は剛性を発揮し、内容器２に対する熱変形の影響は限定的である。
【０１０４】
外容器１は熱変形しておらず、嵌合構造３０や係合構造４０が機能し、外容器１と内容器２とは確実に一体となる。
【０１０５】
仮に、内容器２に対する熱変形の影響が僅かに出たとしても、外容器１は熱変形しておらず、外容器１のデザイン性が損なわれるおそれはない。
【０１０６】
このように、本内容物包装方法によれば、二重容器の一体性及びデザイン性を維持できる。
【０１０７】
〜備考〜
従来技術における二重容器においては、接合箇所から飲料の侵入がないように、内容器のフランジが外側になり、接合箇所を覆うように構成されている。
【０１０８】
したがって、内容器２のフランジ２３を板バネとして機能させるという発想がなかった。
【０１０９】
本願発明者は、嵌合構造３０と連動させることにより、係合構造４０において、フランジ２３を板バネとして機能させることを着想した。以上の思考過程を経て、本願発明が完成されるに至った。
【０１１０】
したがって、本願発明は、上記実施形態に限定されず、上記技術思想の範囲で種々の変更が可能である。
【０１１１】
〜その他〜
【０１１２】
外容器１および内容器２の材質等は特に限定されないが、例えば、透明または半透明の樹脂製であってもよい。
【０１１３】
図１２は嵌合前の二重容器を示す図であり、図１３は嵌合後の二重容器を示す図である。
【０１１４】
例えば、飲料提供業者のロゴやキャラクターデザインを内容器２に付してもよい。外容器１を介して視認可能とすることにより、外容器１にロゴ等を付す場合と異なる外観を演出できる。たとえば、光の加減で見え方が異なる。これにより、意匠性が向上する。
【０１１５】
また、内容器２にロゴ等を付すことにより、摩擦等によりロゴが剥がれるおそれがない。これにより意匠性を維持できる。
【符号の説明】
【０１１６】
１  外容器
２  内容器
３  断熱空間
５  シール蓋
１１  外容器底部
１２  外容器胴部
１３  外容器フランジ部
１４  突起
１５  シール用突起
２１  内容器底部
２２  内容器胴部
２３  内容器フランジ部
２５  シール用突起
３０  嵌合構造
３１  テーパ
３２  突起
３３  突起
３４  テーパ
３５  突起
３６  突起
３７  半球突起
３８  半円突起
４０  係合構造
４１  内容器フランジ部外縁端
４２  外容器フランジ部上面相当位置
４３  微小空間
４４  外容器フランジ部外縁端
５０  シール構造
【図１】
2019119516.tif 000003
【図２】
2019119516.tif 000004
【図３】
2019119516.tif 000005
【図４】
2019119516.tif 000006
【図５】
2019119516.tif 000007
【図６】
2019119516.tif 000008
【図７】
2019119516.tif 000009
【図８】
2019119516.tif 000010
【図９】
2019119516.tif 000011
【図１０】
2019119516.tif 000012
【図１１】
2019119516.tif 000013
【図１２】
2019119516.tif 000014
【図１３】
2019119516.tif 000015